(57)【要約】【課題】熱交換部の内部における結露に起因した視認性の低下を抑制可能な熱交換形換気装置を提供する。【解決手段】熱交換形換気装置１は、窓枠３と、窓枠３で囲まれた位置に設けられ、室内側に位置する室内側採光部１４と室外側に位置する室外側採光部１５とを有する採光部４と、室内側採光部１４と室外側採光部１５とに挟まれる位置において採光部４と並設され、室内側より取り込んで室外側へ排気される室内空気６と、室外側より取り込んで室内側へ給気される室外空気７との間で熱交換を行う熱交換部５と、を備える。熱交換部５は、採光部４における採光領域Ｓ１から窓枠３内の非採光領域Ｓ２に延伸して構成されている。【選択図】図４
2020118370.tif 000002
【特許請求の範囲】
【請求項１】
窓枠と、
前記窓枠で囲まれた位置に設けられ、室内側に位置する室内側採光部と室外側に位置する室外側採光部とを有する採光部と、
前記室内側採光部と前記室外側採光部とに挟まれる位置において前記採光部と並設され、室内側より取り込んで室外側へ排気される室内空気と、室外側より取り込んで室内側へ給気される室外空気との間で熱交換を行う熱交換部と、
を備え、
前記熱交換部は、前記採光部における採光領域から前記窓枠内の非採光領域に延伸して構成されていることを特徴とする熱交換形換気装置。
【請求項２】
前記窓枠は、前記室内側に設けられ、室内空気を取り込む排気流入口と、前記室外側に設けられ、前記室内空気を吹き出す排気流出口と、前記室外側に設けられ、室外空気を取り込む給気流入口と、前記室内側に設けられ、前記室外空気を吹き出す給気流出口と、前記排気流入口から前記排気流出口へと前記室内空気を送風する排気送風機と、前記給気流入口から前記給気流出口へと前記室外空気を送風する給気送風機と、を有し、
前記熱交換部は、前記室内側採光部と前記室外側採光部との間に設けられた光透過性のある伝熱板と、前記室内側採光部と前記伝熱板との間に設けられ、前記排気流入口と前記排気流出口とを連通する排気風路と、前記伝熱板と前記室外側採光部との間に設けられ、前記給気流入口と前記給気流出口とを連通する給気風路と、を有し、
前記伝熱板は、前記排気風路を流通する前記室内空気と、前記給気風路を流通する前記室外空気との間で熱交換を行い、
前記室内空気は、前記窓枠の上辺部に設けられた前記排気流入口から取り込まれ、前記排気風路を流通して、前記窓枠の下辺部に設けられた前記排気流出口から吹き出され、
前記室外空気は、前記窓枠の下辺部に設けられた前記給気流入口から取り込まれ、前記給気風路を流通して、前記窓枠の上辺部に設けられた前記給気流出口から吹き出され、
前記排気風路の空気流れ方向と前記給気風路の空気流れ方向とは互いに対向しており、
前記熱交換部の前記非採光領域は、前記窓枠の下辺部に設けられていることを特徴とする請求項１に記載の熱交換形換気装置。
【請求項３】
前記室外側採光部は、中空層を介して対向する一対の採光板で構成されていることを特徴とする請求項１または２に記載の熱交換形換気装置。
【発明の詳細な説明】
【技術分野】
【０００１】
本発明は、熱交換形換気装置に関し、特に窓に設置されて室内を換気する窓用の熱交換形換気装置に関するものである。
【背景技術】
【０００２】
近年、地球温暖化にともなって住宅の空調負荷を削減する要求が高まっており、優れた省エネ性と施工性を併せ持つ熱交換形換気装置が求められている。こうした熱交換形換気装置として、例えば、窓に設置して室内の換気を行う窓用の熱交換形換気装置が知られている（例えば、特許文献１参照）。
【０００３】
以下、従来の熱交換形換気装置１０１について、図５、図６を参照しながら説明する。図５は、従来の熱交換形換気装置１０１の設置例を示す概略斜視図である。図６は、従来の熱交換形換気装置１０１の構成を示す概略斜視図である。
【０００４】
図５に示すように、熱交換形換気装置１０１は窓枠１０２に埋設されている。また、図６に示すように、熱交換形換気装置１０１は、室内空気を取り込む排気流入口１０３と室内空気を吹き出す排気流出口１０４とを連通する排気風路内に熱交換素子１０５と排気送風機１０６とを備えている。また、熱交換形換気装置１０１は、室外空気を取り込む給気流入口１０７と室外空気を吹き出す給気流出口１０８とを連通する給気風路内に熱交換素子１０５と給気送風機１０９とを備えている。排気送風機１０６と給気送風機１０９とを運転することにより、熱交換素子１０５の内部で、排気流（室内空気）と給気流（室外空気）とが熱交換されるようになっている。
【先行技術文献】
【特許文献】
【０００５】
【特許文献１】特表２０１３−５２５７３３号公報
【発明の概要】
【発明が解決しようとする課題】
【０００６】
しかしながら、従来の熱交換形換気装置１０１は、窓枠１０２の内部に、排気流と給気流とを熱交換する熱交換素子１０５が存在するため、熱交換に必要な面積が窓枠部分に制限される。このため、特に冬季の場合、従来の熱交換形換気装置１０１では、十分な熱交換ができずに、室内への吹き出し温度が低下し、快適性が損なわれるという課題があった。そこで、こうした課題に対応するため、我々は、窓枠の内側に配置される採光部に光透過性のある熱交換部（熱交換素子）を並設させて配置する熱交換形換気装置の検討を行っている。
【０００７】
一般的に、従来の熱交換形換気装置１０１を含む熱交換形換気装置では、冬季など外気の温度が低い場合に、熱交換部の内部の排気風路のうち、給気流入口に近い部分で温度が低下し、熱交換部の排気風路内に結露が生じることがある。このため、採光部に熱交換部を並設させて配置する熱交換形換気装置では、熱交換部の排気風路内に結露が生じることによって、窓としての視認性が低下するという新たな課題が生じることが懸念される。
【０００８】
そこで本発明は、上記課題を解決するものであり、熱交換部の内部における結露に起因した視認性の低下を抑制することが可能な熱交換形換気装置を提供することを目的とする。
【課題を解決するための手段】
【０００９】
そして、この目的を達成するために、本発明に係る熱交換形換気装置は、窓枠と、窓枠で囲まれた位置に設けられ、室内側に位置する室内側採光部と室外側に位置する室外側採光部とを有する採光部と、室内側採光部と室外側採光部とに挟まれる位置において採光部と並設され、室内側より取り込んで室外側へ排気される室内空気と、室外側より取り込んで室内側へ給気される室外空気との間で熱交換を行う熱交換部と、を備える。熱交換部は、採光部における採光領域から窓枠内の非採光領域に延伸して構成されている。
【発明の効果】
【００１０】
本発明に係る熱交換形換気装置によれば、熱交換部の内部における結露に起因した視認性の低下を抑制することが可能な熱交換形換気装置を提供することができる。
【図面の簡単な説明】
【００１１】
【図１】図１は、本発明の実施の形態１に係る熱交換形換気装置の設置例を示す概略正面図である。
【図２】図２は、同熱交換形換気装置の室内側から見た概略斜視図である。
【図３】図３は、同熱交換形換気装置の室外側から見た概略斜視図である。
【図４】図４は、同熱交換形換気装置の概略断面図である。
【図５】図５は、従来の熱交換形換気装置の設置例を示す概略斜視図である。
【図６】図６は、従来の熱交換形換気装置の構成を示す概略斜視図である。
【発明を実施するための形態】
【００１２】
本発明に係る熱交換形換気装置は、窓枠と、窓枠で囲まれた位置に設けられ、室内側に位置する室内側採光部と室外側に位置する室外側採光部とを有する採光部と、室内側採光部と室外側採光部とに挟まれる位置において採光部と並設され、室内側より取り込んで室外側へ排気される室内空気と、室外側より取り込んで室内側へ給気される室外空気との間で熱交換を行う熱交換部と、を備える。熱交換部は、採光部における採光領域から窓枠内の非採光領域に延伸して構成されている。
【００１３】
こうした構成によれば、非採光領域における熱交換部での熱交換によって、採光領域における熱交換部に流れ込む室外空気の温度を、非採光領域に流れ込んだ際の室外空気の温度よりも上昇させることができる。これにより、窓としての視認性に影響を及ぼさない非採光領域の熱交換部（排気風路内の伝熱板の表面）において結露が発生するものの、採光領域の熱交換部における結露の発生を抑制することができる。この結果、採光領域の熱交換部を透過する光の乱反射（水玉状の結露水に起因した光の乱反射）が抑制される。つまり、冬季など室外空気の温度が低い場合に、採光領域の熱交換部（排気風路内の伝熱板の表面）における結露に起因した視認性の低下を抑制することが可能な熱交換形換気装置とすることができる。
【００１４】
また、窓枠は、室内側に設けられ、室内空気を取り込む排気流入口と、室外側に設けられ、室内空気を吹き出す排気流出口と、室外側に設けられ、室外空気を取り込む給気流入口と、室内側に設けられ、室外空気を吹き出す給気流出口と、排気流入口から排気流出口へと室内空気を送風する排気送風機と、給気流入口から給気流出口へと室外空気を送風する給気送風機と、を有し、熱交換部は、室内側採光部と室外側採光部との間に設けられた光透過性のある伝熱板と、室内側採光部と伝熱板との間に設けられ、排気流入口と排気流出口とを連通する排気風路と、伝熱板と室外側採光部との間に設けられ、給気流入口と給気流出口とを連通する給気風路と、を有し、伝熱板は、排気風路を流通する室内空気と、給気風路を流通する室外空気との間で熱交換を行い、室内空気は、窓枠の上辺部に設けられた排気流入口から取り込まれ、排気風路を流通して、窓枠の下辺部に設けられた排気流出口から吹き出され、室外空気は、窓枠の下辺部に設けられた給気流入口から取り込まれ、給気風路を流通して、窓枠の上辺部に設けられた給気流出口から吹き出され、排気風路の空気流れ方向と給気風路の空気流れ方向とは互いに対向しており、熱交換部の非採光領域は、窓枠の下辺部に設けられるように構成してもよい。
【００１５】
こうした構成とすることで、非採光領域における熱交換部（排気風路内の伝熱板の表面）に生じた結露水が、伝熱板の表面に沿って採光領域における熱交換部に流れ込むことを確実に抑制することができる。この結果、採光領域の熱交換部における結露に起因した視認性の低下をさらに抑制することができる。
【００１６】
また、室外側採光部は、中空層を介して対向する一対の採光板で構成してもよい。こうした構成によれば、中空層を介して対向する一対の採光板で構成された室外側採光部によって、室外から熱交換部（給気風路を流通する室外空気）への熱伝達を抑制することができる。すなわち、給気風路を流通する室外空気（室内空気と熱交換して温度が上昇した室外空気）の温度低下が抑えられ、排気風路を流通する室内空気の温度を上昇させることができる。この結果、採光領域における熱交換部での結露の発生が抑制され、視認性の低下をさらに抑制することができる。
【００１７】
以下、本発明の実施の形態について図面を参照しながら説明する。
【００１８】
（実施の形態１）
まず、図１〜図４を参照して、本発明の実施の形態１に係る熱交換形換気装置１について説明する。図１は、本発明の実施の形態１に係る熱交換形換気装置１の設置例を示す概略正面図である。図２は、熱交換形換気装置１の室内側から見た概略斜視図である。図３は、熱交換形換気装置１の室外側から見た概略斜視図である。図４は、熱交換形換気装置１の概略断面図である。なお、図１は、家の室内側からみた状態である。以下の説明では、室内側からみた状態において、左右（左側、右側）を規定して説明する。
【００１９】
熱交換形換気装置１は、図１に示すように、家の壁面２に窓として設置されている。熱交換形換気装置１は、外径が矩形状である窓枠３と、窓枠３の内側に設けられた採光部４と、採光部４と並設された光透過性のある熱交換部（熱交換素子）５と、を有している。熱交換形換気装置１は、動作することによって、家の室内の空気（以下、室内空気６）と室外の空気（以下、室外空気７）との間で熱交換しつつ換気を行う。
【００２０】
窓枠３は、図１に示すように、外径が矩形状であり、上側にある上辺部３ａと、上辺部３ａと対となる下側にある下辺部３ｂと、左側にある左辺部３ｃと、左辺部３ｃと対となる右側にある右辺部３ｄとで構成されている。窓枠３は、上辺部３ａの左右両端で左辺部３ｃの上端および右辺部３ｄの上端と連結し、下辺部３ｂの左右両端で左辺部３ｃの下端および右辺部３ｄの下端とを連結している。ここで、窓枠３の内側には、外の光を室内に取り入れるための採光部４および熱交換素子５が設けられている。
【００２１】
窓枠３の材質は、一般的に金属または樹脂が用いられる。金属としては、軽量なアルミなどを用いることがよく、樹脂としては、剛性の高い塩化ビニルあるいはポリカーボネートなどが用いられる。室外からの熱の侵入を防ぐためには、金属と比較して熱伝導性の低い樹脂を用いることが好ましい。
【００２２】
窓枠３は、中空部材で構成されている。窓枠３の室内側の上辺部３ａには、図２に示すように、室内空気６を取り込むための排気流入口８と、室外空気７を吹き出すための給気流出口１１とが形成されている。一方、窓枠３の室外側の下辺部３ｂには、図３に示すように、室内空気６を吹き出すための排気流出口９と、室外空気７を取り込むための給気流入口１０とが形成されている。なお、図示していないが、排気流入口８（あるいは排気流入口８の近傍の排気風路１７）には排気フィルタが取り付けられ、給気流入口１０（あるいは給気流入口１０の近傍の給気風路１８）には給気フィルタが取り付けられている。
【００２３】
また、窓枠３の室内側の上辺部３ａに設けた給気流出口１１は、給気流出口１１から吹き出される室外空気７が採光部４（後述する室内側採光部１４）の室内側表面に沿って窓枠３の下辺部３ｂ側に流れるように、その吹き出し方向が調整されている。
【００２４】
また、窓枠３の上辺部３ａの内部には、図４に示すように、排気流入口８から排気流出口９へと室内空気６を送風するための排気送風機１２が設置されている。一方、窓枠３の下辺部３ｂの内部には、給気流入口１０から給気流出口１１へと室外空気７を送風するための給気送風機１３が設置されている。ここで、排気送風機１２および給気送風機１３に用いる送風機としては、例えば、クロスフローファンあるいは小型のブロアファンが挙げられる。
【００２５】
採光部４（および熱交換部５）は、図１〜図３に示すように、上辺部３ａ、下辺部３ｂ、左辺部３ｃ、右辺部３ｄの窓枠３に固定されて、配置されている。採光部４は、光を透過する材質で構成されており、一般的に硝子材料、強化プラスチック等の材料で構成されている。詳細は後述するが、熱交換部５もまた光透過性のある材料で構成されている。
【００２６】
採光部４は、図４に示すように、熱交換部５と並設して構成されている。具体的には、採光部４は、熱交換部５よりも室内側に位置する室内側採光部１４と、熱交換部５よりも室外側に位置する室外側採光部１５とを有している。そして、採光部４は、室内側採光部１４と室外側採光部１５との間において熱交換部５を並設するように構成されている。つまり、採光部４が熱交換部５と並設する構成とは、室内側から室外側に向かって、室内側採光部１４、熱交換部５、室外側採光部１５の順に各部材が積み重なって配置された状態を示す。なお、採光部４は、熱交換部５と重畳して構成されているとも言える。
【００２７】
室内側採光部１４は、第１中空層１４ａを介して対向する一対の第１採光板１４ｂで構成されている。ここで、第１中空層１４ａは、一対の第１採光板１４ｂの間に第１スペーサ部材１４ｃを挟み込むことで形成されている。また、第１中空層１４ａには乾燥した空気あるいはアルゴン等の低熱伝導性ガスが封入され、第１中空層１４ａは断熱層として機能する。
【００２８】
一方、室外側採光部１５は、第２中空層１５ａを介して対向する一対の第２採光板１５ｂで構成されている。ここで、第２中空層１５ａは、一対の第２採光板１５ｂの間に第２スペーサ部材１５ｃを挟み込むことで形成されている。また、第２中空層１５ａには乾燥した空気あるいはアルゴン等の低熱伝導性ガスが封入され、第２中空層１５ａは断熱層として機能する。なお、本実施の形態では、室内側採光部１４と室外側採光部１５とは同一材料、同一構造としている。
【００２９】
また、採光部４は、窓として室外から室内に太陽光が入射可能な採光領域Ｓ１と、窓枠３内に位置する非採光領域Ｓ２との二つの領域に延設して構成されている。なお、非採光領域Ｓ２は、太陽光が窓枠３によって遮蔽されて室内に入射できない領域である。
【００３０】
熱交換部５は、図４に示すように、室内側採光部１４と室外側採光部１５との間において採光部４と並設するように配置されている。具体的には、熱交換部５は、光透過性のある伝熱板１６と、排気風路１７と、給気風路１８とを有して構成されている。なお、熱交換部５の熱交面積（熱交換可能な面積）は、図１〜図４に示すように、採光部４の採光面積と同程度またはそれ以上としている。
【００３１】
また、熱交換部５は、採光部４と同様、採光領域Ｓ１と非採光領域Ｓ２との二つの領域に延設して構成されている。なお、熱交換部５は、採光部４における採光領域Ｓ１から窓枠３内の非採光領域Ｓ２に延伸して構成されているとも言える。
【００３２】
伝熱板１６は、室内側採光部１４と室外側採光部１５との間に設けられ、排気風路１７を流通する室内空気６と、給気風路１８を流通する室外空気７との間で熱交換を行う。伝熱板１６の材質は、光透過性を有し、且つ、熱交換するために熱のみを伝える素材、例えばポリプロピレン、ポリカーボネートといった樹脂あるいは従来の窓に設置されるガラス材などが用いられる。あるいは、伝熱板１６の材質として、光透過性を有し、且つ、熱と湿度とをともに伝える素材、例えばポリウレタンといった樹脂を用いてもよい。
【００３３】
排気風路１７は、室内側採光部１４と伝熱板１６との間に設けられ、排気流入口８と排気流出口９とを連通している風路である。排気風路１７は、排気風路１７を流通する室内空気６が窓枠３の上辺部３ａから窓枠３の下辺部３ｂに向かって流れるように構成されている。一方、給気風路１８は、伝熱板１６と室外側採光部１５との間に設けられ、給気流入口１０と給気流出口１１とを連通している風路である。給気風路１８は、給気風路１８を流通する室外空気７が窓枠３の下辺部３ｂから窓枠３の上辺部３ａに向かって流れるように構成されている。つまり、排気風路１７を流通する室内空気６の空気流れ方向と給気風路１８を流通する室外空気７の空気流れ方向とは互いに対向している。
【００３４】
次に、熱交換形換気装置１における熱交換換気について、図４を参照して説明する。
【００３５】
熱交換形換気装置１は、熱交換換気を行う場合には、熱交換部５の排気送風機１２および給気送風機１３を動作させる。
【００３６】
熱交換部５は、図４に示すように、窓枠３の上辺部３ａ内に設けた排気送風機１２を駆動することで、室内側の上辺部３ａに設けた排気流入口８から室内空気６を吸い込み、排気送風機１２を経由して、熱交換部５の排気風路１７を流通し、窓枠３の室外側の下辺部３ｂに設けた排気流出口９から室内空気６を室外へと排出する。
【００３７】
一方、熱交換部５は、窓枠３の下辺部３ｂ内に設けた給気送風機１３を駆動することで、室外側の下辺部３ｂに設けた給気流入口１０から室外空気７を吸い込み、給気送風機１３を経由して、熱交換部５の給気風路１８を流通し、室内側の上辺部３ａに設けた給気流出口１１から室外空気７を室内へと取り入れる。
【００３８】
熱交換部５は、排気風路１７を流通する室内空気６（排気流）と、給気風路１８を流通する室外空気７（給気流）との間で伝熱板１６を介して熱交換を行う。具体的には、熱交換部５は、採光領域Ｓ１と非採光領域Ｓ２との二つの領域に延設しているため、熱交換部５での熱交換は、採光領域Ｓ１と非採光領域Ｓ２においてそれぞれ行われる。つまり、給気風路１８を流通する室外空気７（給気流）に着目すると、室外から取り込まれた室外空気７は、まず窓枠３の下辺部３ｂにおける非採光領域Ｓ２の熱交換部５にて熱交換される。そして、非採光領域Ｓ２を流通した室外空気７は、採光領域Ｓ１の熱交換部５にて熱交換される。最後に、採光領域Ｓ２を流通した室外空気７は、窓枠３の上辺部３ａにおける非採光領域Ｓ１の熱交換部５に熱交換される。なお、排気風路１７を流通する室内空気６（排気流）の場合には、逆の順序となる。これにより、熱交換部５は、換気を行う際に、室外に放出する室内空気６の熱を室内に取り入れる室外空気７へと伝達し、不要な熱の放出を抑制し、室内に熱を回収している。
【００３９】
以上、本実施の形態１に係る熱交換形換気装置１によれば、以下の効果を享受することができる。
【００４０】
（１）熱交換形換気装置１では、非採光領域Ｓ２における熱交換部５を流通した室外空気７が採光領域Ｓ１における熱交換部５に導入される構成となっている。このため、非採光領域Ｓ２における熱交換部５での熱交換によって、採光領域Ｓ１における熱交換部５に流れ込む室外空気７の温度を、非採光領域Ｓ２に流れ込んだ際の室外空気７の温度よりも上昇させることができる。これにより、窓としての視認性に影響を及ぼさない非採光領域Ｓ２の熱交換部５（排気風路１７内の伝熱板１６の表面）において結露が発生するものの、採光領域Ｓ１の熱交換部５における結露の発生を抑制することができる。この結果、採光領域Ｓ１の熱交換部５を透過する光の乱反射（水玉状の結露水に起因した光の乱反射）が抑制される。つまり、冬季など室外空気７の温度が低い場合に、採光領域Ｓ１の熱交換部５（排気風路１７内の伝熱板１６の表面）における結露に起因した視認性の低下を抑制することが可能な熱交換形換気装置１とすることができる。
【００４１】
（２）熱交換形換気装置１は、排気風路１７を流通する室内空気６が窓枠３の上辺部３ａから窓枠３の下辺部３ｂに流れるように構成されている。このため、非採光領域Ｓ２における熱交換部５（排気風路１７内の伝熱板１６の表面）に生じた結露水が、伝熱板１６の表面に沿って採光領域Ｓ１における熱交換部５に流れ込むことを確実に抑制することができる。この結果、採光領域Ｓ１の熱交換部５における結露に起因した視認性の低下を抑制することができる。
【００４２】
（３）熱交換形換気装置１は、排気風路１７を流通する室内空気６が窓枠３の上辺部３ａから窓枠３の下辺部３ｂに流れるように構成されている。このため、熱交換形換気装置１では、採光領域Ｓ１の熱交換部５にて結露が発生した場合であっても、排気風路１７を流通する室内空気６によって、伝熱板１６の表面に生じた結露水を、排気風路１７の空気流れ方向となる非採光領域Ｓ２側（窓枠３の下辺部３ｂ側）に押しやることができる。つまり、排気風路１７内の伝熱板１６の表面に生じた結露水を採光部４の採光領域Ｓ１から効率よく排除することで、結露に起因した視認性の低下がさらに抑制された熱交換形換気装置１とすることができる。
【００４３】
（４）室外側採光部１５は、第２中空層１５ａを介して対向する一対の第２採光板１５ｂで構成されている。このため、室外側採光部１５によって、室外から熱交換部５（給気風路１８を流通する室外空気７）への熱伝達を抑制することができる。すなわち、冬季の場合には、給気風路１８を流通する室外空気７（室内空気６と熱交換して温度が上昇した室外空気７）の温度が、室外側採光部１５の室外側の室外空気７によって低下することが抑えられるので、結果として排気風路１７を流通する室内空気６の温度を上昇させることができる。この結果、排気風路１７内の伝熱板１６の表面での結露の発生自体が抑制され、視認性の低下がさらに抑制された熱交換形換気装置１とすることができる。
【００４４】
一方、夏季の場合には、給気風路１８を流通する室外空気７（室内空気６と熱交換して温度が上昇した室外空気７）の温度が、室外側採光部１５の室外側の室外空気７によってさらに上昇することが抑えられる。このため、室外空気７を室内に導入した際に生じる室内温度の上昇を抑制することができる。この結果、熱交換形換気装置１は、室外空気７の導入に伴う室内温度の上昇を補うための室内冷房の負荷を軽減することができる。
【００４５】
（５）熱交換形換気装置１は、採光部４に並設した熱交換部５を備える。このため、太陽光（日光）の輻射熱によって採光領域Ｓ１における熱交換部５の伝熱板１６の表面温度が上昇し、給気風路１８を流通する室外空気７の温度を上昇させることができる。この結果、上記（４）と同様、排気風路１７内の伝熱板１６の表面での結露の発生自体が抑制され、視認性の低下がさらに抑制された熱交換形換気装置１とすることができる。
【００４６】
（６）熱交換形換気装置１は、採光部４に並設した熱交換部５を備える。このため、冬季など室外空気７の温度が低い場合、室外空気７が採光領域Ｓ１の給気風路１８を流通する際に太陽光（日光）の輻射熱によって加熱されるので、室外空気７を室内に導入した際に生じる室内温度の低下を抑制することができる。この結果、熱交換形換気装置１は、室外空気７の導入に伴う室内温度の低下を補うための室内暖房の負荷を軽減することができる。
【００４７】
（７）熱交換形換気装置１は、排気流入口８に排気フィルタが設置されるとともに、給気流入口１０に給気フィルタが設置されている。このため、室内空間および室外空間の埃などの固形物が熱交換部５へ流入するのを防止することができる。この結果、熱交換部５の内部に固形物が詰まり、固形物が通風抵抗となることで排気風量および給気風量が減少するのを防止するとともに、伝熱板１６の表面に付着する汚れを防止することができ、窓としての採光機能（または視認性）の低下を抑制することができる。
【００４８】
以上、本発明に関して実施の形態をもとに説明した。これらの実施の形態は例示であり、それらの各構成要素や各処理プロセスの組合せにいろいろな変形例が可能なこと、またそうした変形例も本発明の範囲にあることは当業者に理解されるところである。
【００４９】
本実施の形態において、非採光領域Ｓ２となる窓枠３の下辺部３ｂに、熱交換部５を加熱するためのヒータ（通電することで発熱する導電層など）を設けるようにしてもよい。結露水が凍結するような状況下では、非採光領域Ｓ２において凍結した結露水によって熱交換部５の排気風路１７が閉塞され、熱交換部５の熱交換効率を低下させる懸念がある。しかしながら、窓枠３内のヒータによって熱交換部５が加熱されることで、非採光領域Ｓ２における熱交換部５の伝熱板１６の表面に結露が発生した場合であっても、伝熱板１６の表面から結露水を除去することができる。つまり、熱交換部５の排気風路１７の閉塞を抑制することができる。また、ヒータ加熱によって室内空気６または室外空気７の温度を上昇させることができるので、非採光領域Ｓ２における熱交換部５での結露の発生が抑制されるだけでなく、採光領域Ｓ１における熱交換部５での結露の発生も抑制される。この結果、視認性の低下が抑制された熱交換形換気装置１とすることができる。
【００５０】
本実施の形態では、採光部４として、第１中空層１４ａを有する室内側採光部１４と第２中空層１５ａを有する室外側採光部１５とからなる構成としたが、これに限られない。例えば、採光部４として、中空層を有さない室内側採光部１４（例えば、単体の第１採光板１４ｂのみ）と第２中空層１５ａを有する室外側採光部１５とからなる構成にしてもよい。このようにすることで、熱交換形換気装置１の軽量化・薄型化が可能となる。
【００５１】
本実施の形態では、排気流入口８（あるいは排気流入口８の近傍の排気風路１７）に排気フィルタを取り付けるとともに、給気流入口１０（あるいは給気流入口１０の近傍の給気風路１８）に給気フィルタを取り付ける構成としたが、これに限られない。例えば、室外空間には室内空間よりも花粉あるいは埃などの固形物が多く存在しているため、給気流入口１０側のみに給気フィルタを取り付ける構成としてもよい。これにより、少なくとも排気風路１７よりも固形物が詰まりやすい給気風路１８への固形物の流入（給気風路１８の給気風量の減少）を防止することができる。
【産業上の利用可能性】
【００５２】
本発明に係る熱交換形換気装置は、室内空気と室外空気との間での熱交換を可能とする熱交換形換気装置として有用である。主に建物の窓に用いられることで効果を奏する。
【符号の説明】
【００５３】
１    熱交換形換気装置
２    家の壁面
３    窓枠
３ａ    上辺部
３ｂ    下辺部
３ｃ    左辺部
３ｄ    右辺部
４    採光部
５    熱交換部
６    室内空気
７    室外空気
８    排気流入口
９    排気流出口
１０    給気流入口
１１    給気流出口
１２    排気送風機
１３    給気送風機
１４    室内側採光部
１４ａ    第１中空層
１４ｂ    第１採光板
１４ｃ    第１スペーサ部材
１５    室外側採光部
１５ａ    第２中空層
１５ｂ    第２採光板
１５ｃ    第２スペーサ部材
１６    伝熱板
１７    排気風路
１８    給気風路
Ｓ１    採光領域
Ｓ２    非採光領域
１０１    熱交換形換気装置
１０２    窓枠
１０３    排気流入口
１０４    排気流出口
１０５    熱交換素子
１０６    排気送風機
１０７    給気流入口
１０８    給気流出口
１０９    給気送風機
【図１】
2020118370.tif 000003
【図２】
2020118370.tif 000004
【図３】
2020118370.tif 000005
【図４】
2020118370.tif 000006
【図５】
2020118370.tif 000007
【図６】
2020118370.tif 000008